(57)【要約】【課題】電子黒板装置において、セキュリティー重視の機能と、利便性重視の機能を達成するに際し、これらを別々に製品化すると、電子黒板装置の製造コストや、販売、在庫管理が煩雑となる。このため、セキュリティー性を考慮した製品と、利便性を考慮した製品とを１つの製品において実現することが望まれている。【解決手段】本発明は、請求項１に記載するように、書き込みシートと、この書き込みシートに書き込まれた筆記画像を読み取る読取り装置と、この読取り装置で読取られた情報を記憶する内部メモリと、この内部メモリに記録された情報を出力するための外部接続端子と、この外部接続端子に接続される外部メモリであって、セキュリティー鍵が記録された外部メモリの接続によって、内部メモリに記録された情報の、前記外部接続端子へ接続される機器への出力を制限するセキュリティ手段とを有することを特徴としている。【選択図】図２
2008080777.tif 000002
【特許請求の範囲】
【請求項１】
書き込みシートと、この書き込みシートに書き込まれた筆記画像を読み取る読取り装置と、この読取り装置で読取られた情報を記憶する内部メモリと、この内部メモリに記録された情報を出力するための外部接続端子と、この外部接続端子に接続される外部メモリであって、セキュリティー鍵が記録された外部メモリの接続によって、内部メモリに記録された情報の、前記外部接続端子へ接続される機器への出力を制限するセキュリティ手段とを有することを特徴とする電子黒板装置。
【請求項２】
前記外部接続端子は、ＵＳＢ端子であり、外部メモリはＵＳＢメモリであることを特徴とする請求項１項記載の電子黒板装置。
【請求項３】
前記セキュリティ手段は、前記外部メモリに記録されたセキュリティー鍵を読取り、前記外部接続端子に接続された機器と内部メモリとの通信機能を無効とすることを特徴とする請求項１項記載の電子黒板装置。
【請求項４】
前記外部接続端子は複数の外部接続部分を有し、前記セキュリティ手段は、前記外部メモリに記録されたセキュリティー鍵を読取り、前記外部接続端子に接続された全ての機器と内部メモリとの通信機能を無効とすることを特徴とする請求項１項記載の電子黒板装置。
【請求項５】
セキュリティー解除鍵が記録された外部メモリの接続によって、内部メモリに記録された情報の、前記外部接続端子へ接続される機器への出力の制限を解除するセキュリティ手段とを有することを特徴とする請求項１項記載の電子黒板装置。
【発明の詳細な説明】
【技術分野】
【０００１】本発明は、電子黒板装置であって、特に外部記憶媒体あるいはパーソナルコンピュータによって、書込み情報を取り出すことが可能な電子黒板装置に関するものである。
【背景技術】
【０００２】電子黒板装置は、白色の書込みシートに、マーカーで文字や図形を記入すると共に、この記入した表面を光学センサーにて画像情報として読み取り、読み取った画像情報を縮小して紙に印刷し、或いは記録する機能を有することを特徴としている。【０００３】特開平６−８３５３９号には、電子黒板装置にメモリーカードを接続し、電子黒板の筆記画像データを外部に取り出すことが可能な電子黒板装置が示されている。
また、特開２０００−４９９９２号には、電子黒板装置をネットワークサーバーに接続し、筆記画像データをそのサーバーに記録するシステムにおいて、そのサーバーに記録された電子黒板装置の画像データをアクセス権を有するもののみに開示する技術が示されている。【０００４】
【特許文献１】特開平６−８３５３９号
【特許文献２】特開２０００−４９９９２号
【発明の開示】
【発明が解決しようとする課題】
【０００５】上記特許文献１では、セキュリティーについて何ら考慮されていないため、電子黒板装置に書き込まれた情報を誰でも取り出すことができる。
しかしながら、電子黒板装置の書き込み情報を外部メモリ或いはパーソナルコンピュータに記録できないようにしたいとの要望がある。
例えば、電子黒板装置の主な用途が、機密に関する会議の過程の書込みである利用者などから、特に要望がある。
上記特許文献２では、電子黒板装置の筆記情報を、一端サーバーに保存して、アクセス権限のあるもののみに情報を開示するのであるため、セキュリティー性を保つことができる。
しかしながら、ＬＡＮへの接続手段、及び通信手段が必要となると共に、セキュリティー性を必要とせず、簡単に外部メモリに情報を保存したいという利用者には、このようなシステムは不便となる。【０００６】これらのセキュリティー重視の機能と、利便性重視の機能を達成するに際し、これらを別々に製品化すると、電子黒板装置の製造コストや、販売、在庫管理が煩雑となる。
このため、セキュリティー性を考慮した製品と、利便性を考慮した製品とを１つの製品において実現することが望まれた。
【課題を解決するための手段】
【０００７】上記課題を解決するため、本発明は、請求項１に記載するように、書き込みシートと、この書き込みシートに書き込まれた筆記画像を読み取る読取り装置と、この読取り装置で読取られた情報を記憶する内部メモリと、この内部メモリに記録された情報を出力するための外部接続端子と、この外部接続端子に接続される外部メモリであって、セキュリティー鍵が記録された外部メモリの接続によって、内部メモリに記録された情報の、前記外部接続端子へ接続される機器への出力を制限するセキュリティ手段とを有することを特徴としている。【０００８】また、請求項２に記載するように、前記外部接続端子は、ＵＳＢ端子であり、外部メモリはＵＳＢメモリであることを特徴としている。
また、請求項３に示すように、前記セキュリティ手段は、前記外部メモリに記録されたセキュリティー鍵を読取り、前記外部接続端子に接続された機器と内部メモリとの通信機能を無効とすることを特徴としている。
また、請求項４項に示すように、前記外部接続端子は複数の外部接続部分を有し、前記セキュリティ手段は、前記外部メモリに記録されたセキュリティー鍵を読取り、前記外部接続端子に接続された全ての機器と内部メモリとの通信機能を無効とすることを特徴としている。
また、請求項５項に示すように、セキュリティー解除鍵が記録された外部メモリの接続によって、内部メモリに記録された情報の、前記外部接続端子へ接続される機器への出力の制限を解除するセキュリティ手段とを有することを特徴としている。
【発明の効果】
【０００９】本発明によれば、セキュリティー鍵を記録した外部記憶媒体を用いることによって、外部機器への電子黒板の筆記情報の出力を簡易に制限することが可能となる。
【発明を実施するための最良の形態】
【００１０】以下、本発明を実施するための最良の形態について、図面を参照して詳細に説明する。
【実施例】
【００１１】以下、図に沿って本発明の一実施例を説明する。
図１は本発明の一実施例を示す正面図である。
１は電子黒板本体、２は本体の表面において、マーカーによって書き込みを行う書込みシートであり、３はこの書込みシートの移動指示や、書込みシートの書込み面を捜査し、筆記画像情報の読込みを行う指示、或いは読込んだデータを図示しないプリンタで印刷する指示などを行う操作パネル、４は外部メモリを接続するための接続端子である。
尚、本実施例では、接続端子４は、ユニバーサル・シリアル・バス（ＵＳＢ）端子、外部メモリ５は、ＵＳＢメモリを用いている。【００１２】図２を用いて、本実施例の電子黒板装置の制御部の構成、及び動作について説明する。
６は書込みシート２に書き込まれた文字や絵を本体１の裏面で読み込めるように、書込みシート２の表面を照明するための光源部、７は書込みシート２の記載内容を読み込むレンズと撮像素子で構成された読取装置（イメージスキャナ）である。
８はモータであり、書込みシート２は、画像読込み時に、このモータ８によって、移送される。
９は本実施例装置の動作を制御するＣＰＵであり、１０は、読取り装置によって読取られた画像情報を記録する内部メモリ、１１は外部メモリに対して、内部メモリの書き出しを禁止するセキュリティー手段である。【００１３】操作パネル３によって、コピーを指示するボタンが押されると、ＣＰＵ９の制御信号によりモータ８は駆動され、書込みシート２は、モータ８によって、移送される。
その移送動作に連動して、ＣＰＵ９の制御信号により光源６及び読取り装置７は駆動され、光源部６付近で書込みシートは、この光源部６によって照明され、読取装置７で画像が順次、縦長のライン状に取込まれる。
本実施例では、撮像素子として、ＣＣＤラインセンサが用いられている。
また、光源部６では、複数の半導体発光素子（ＬＥＤ）が縦長のライン状に配置されたものが用いられている。【００１４】読取り装置７によって、ライン毎に読取られた画像データは、内部メモリ１０で、合成されて１枚の画像データに構成される。
外部メモリ５が、外部接続端子４に接続されると、内部メモリ１０に記録された画像データは、ＣＰＵ９の制御信号により外部メモリ５に出力され、記録される。【００１５】所定の暗証コードであるセキュリティー鍵が記録された外部メモリが、接続端子４に接続された場合、セキュリティー手段１１により、セキュリティー鍵が認識され、セキュリティー機能が動作モードとなる。
このセキュリティー機能の動作モードになると、以降外部メモリが接続端子４に接続されても、内部メモリ１０の画像情報は、外部メモリに出力されなくなる。【００１６】尚、図３に示すように、複数の外部接続端子４を有するインターフェース回路１２を用い、外部メモリ５の他、パーソナルコンピュータ１３を接続する機能を有するものであってもよい。
この場合、セキュリティー手段１１は、全ての外部接続機器に対して内部メモリとの通信機能を禁止するように動作する。【００１７】尚、外部メモリ５に、複数種類のセキュリティー鍵を設定可能とし、このセキュリティー鍵の種類によって禁止する接続端子を選択可能とし、選択された一部の接続機器のみ内部メモリとの通信機能を禁止するように動作してもよい。
この場合は、電子黒板の利用者が、必要なセキュリティー機能に応じて、必用なセキュリティー鍵を、例えばパーソナルコンピュータを用いることによって、外部メモリ５に書き込む。【００１８】また、セキュリティー鍵によって、外部機器との接続が禁止された状態から、セキュリティー解除鍵によって、再度セキュリティー機能を解除し、外部メモリに、内部メモリの情報を出力し記録することを可能とする機能を付加してもよい。
尚、この場合、セキュリティー鍵、及びセキュリティー解除鍵を、電子黒板管理者が厳重に管理する必要がある。【００１９】本発明は、上述の実施例に限定されるものではなく、例えば、読取りシート上の書込み画像を読取る方式は、読取りシート表面をスキャナーが移動して読取る方式でもよい。
また、外部メモリは、ＵＳＢメモリに限定されず、種々の異なる方式の例えばＳＤカードであってもよい。【００２０】また、複数の外部接続端子を用いる場合、同一の端子を複数設けてもよいし、異なる規格の端子を設けてもよい。
更に、外部メモリは、一般的な例えばＵＳＢメモリとし、電子黒板の利用者が、パーソナルコンピュータによって、セキュリティー鍵を外部メモリに記録してもよいし、セキュリティー鍵が記録された専用の外部メモリとしてもよい。
【産業上の利用可能性】
【００２１】本発明は、１つの製品において、セキュリティー優先のモードと、利便性優先のモードとを実現することが可能となり、複数種類の製品を低コストで製造、管理することが可能となる。
【図面の簡単な説明】
【００２２】
【図１】図１は、本発明の実施例の形態に係る主要な構成を示す正面図である。
【図２】図２は、本発明の実施例の制御部に係る構成図である。
【図３】図３は、本発明の第２の実施例の制御部に係る構成図である。
【符号の説明】
【００２３】２：書込みシート
３：操作パネル
４：外部接続端子
５：外部メモリ
１１：セキュリティー手段
【図１】
2008080777.tif 000003
【図２】
2008080777.tif 000004
【図３】
2008080777.tif 000005